(57)【要約】スロットを設けた壁と併用されるグラフィックスパネル支持体は、伸長部材であって、壁のスロット内に収容される湾曲部（５）と２つの腕部７．９とを具備する伸長部材であり、前記腕部は前記湾曲部から壁の前面へ延設される。腕部の少なくとも一方は、壁の前面を覆い、なおかつ該面から離間する指部（１１）を有し、これにより、グラフィックスパネルの縁辺を指部と壁前面との間に配置することができる。
2010528199.tif 000002
【特許請求の範囲】
【請求項１】
スラット付き壁と併用されグラフィックスパネル支持体であって、前記支持体は、スラット付き壁のスロットに挿入される細長部材と２つの腕部とを具備し、前記伸長部材は、スロットの形状に合致するように湾曲部を有する略溝形状部を有し、前記２つの腕部は、使用時に、前記湾曲部から壁の前面へ延設され、少なくとも一方の腕部が壁の前面を隔てて覆う指部を設け、これにより、前記指部と壁の前面との間に、グラフィックスパネルの縁辺を載置できることを特徴とするグラフィックスパネル支持体。
【請求項２】
前記腕部の各々が指部を備える、請求項１に記載の支持体。
【請求項３】
プラスチック材料で製造される、請求項１または２に記載の支持体。
【請求項４】
本明細書に実質的に記載された、請求項１に記載の支持体。
【請求項５】
本明細書と添付図面に実質的に記載された、スラット付き壁と併用されるグラフィックスパネル支持体。
【請求項６】
請求項１から５のいずれか一項に記載のグラフィックスパネル支持体を複数備えることを特徴とするグラフィックスパネル展示システム。
【発明の詳細な説明】
【技術分野】
【０００１】
本発明はグラフィックス支持システムに関する。より詳細には、本発明は、スラット付きの壁、即ちスラット壁と併用されるグラフィックス支持システムに関する。
【背景技術】
【０００２】
スラット付きの壁、即ちスラット壁は、店舗又は他の施設内において、壁面の小領域に関して或いは実質的に壁全体について、迅速かつ容易な展示の解決法を提供する。
【０００３】
スラット壁は、相隔たり且つ平行に並ぶ一連のスロットが形成された板を具備し、各スロットは、展示物が掛けられるフックを収容できるように広がった本体部へ導く比較的に狭い入口部を有する。スラット壁は、このようなスロットから商品や付属品などをぶら下げて宣伝販売するために、小売業界で広く利用されている。
【０００４】
溝状のプラスチックまたはアルミ材料の伸長部材を用いて、それをスラット壁のスロットに挿入し、そこからフックを吊り下げて、展示物を指示することが知られている。このような挿入物は、壁スロットの縁辺を損傷などから保護し、かつ構造体全体の外観を高めることができる。
【０００５】
しかしながら、このような構成は、視覚的重要性がある印刷物、例えば、複数のスロットを跨ってスラット壁に広げる必要がある広告物またはその他の案内物を主として載置するような展示パネルに対応するには不十分である。非常に高価な粘着物又は軸受け(bearing)印刷物を用いなければならず、それらの材料は熟練した取り付け技術を要する。或いは、同様に高価なカードに印刷する方法も知られているが、その場合は、カードが数個のスロットを跨ってぎこちなく湾出した状態で、カードの縁辺をスロットに押し込んで配置することとなる。もう１つの方法は、グラフィックスなどを印刷したＰＶＣシートを用いて、それを加熱して湾曲させ、各スロット面を跳び越えるような形状に仕上げるものである。この解決策も非常に高価であると同時に、実現できる印刷品質が制限されてしまう。更に、加熱による湾曲で長い曲面を形成する場合、結果が予測不能で実用に失敗することも多く、展示物がスロットから抜け落ちてしまう原因となる。
【発明の開示】
【発明が解決しようとする課題】
【０００６】
上述のように、これらの方法は、いずれも扱いにくく、作業に時間がかかり、柔軟性を欠き、しかも高価である。
【課題を解決するための手段】
【０００７】
本発明によれば、スラット付き壁と併用されるグラフィックスパネル支持体が提供され、前記支持体は、スラット付き壁のスロットに挿入される伸長部材を具備し、前記部材は、スロットの形状に合致するように湾曲形状を有する略溝形部分と２つの腕部を有し、前記腕部は、使用時に、前記湾曲部から壁の前面へ延設され、前記腕部の少なくとも一方は壁の前面を隔てて覆う指部を備え、これにより、前記指部と壁の前面との間に、グラフィックスパネルの縁辺を載置できる。
【０００８】
好ましくは、前記支持体の各腕部が指部を備えている。それによって、一個の支持体で、スロットから一方向に延設され一枚のパネルの縁辺と、該スロットから反対方向に延設される他の一枚のパネルの縁辺とを、同時に収容することができる。
【０００９】
本発明は、本発明のグラフィックスパネル支持体を複数備える、グラフィックスパネル展示システムも提供する。このようなシステムにおいて、支持体の最小数は当然に２個であるが、該システムは一つの長さの伸長部材を提供し、それを適宜な長さで切断して実使用することも可能である。
添付図面は以下の通りである。
【図面の簡単な説明】
【００１０】
【図１】本発明のグラフィックスパネル支持システムの横断面図である。
【図２】スラット付き壁のスロット内に設置された図１のグラフィックスパネル支持体の斜視図である。
【発明を実施するための形態】
【００１１】
以下に、添付図面を参照しながら、例示のみとして、本発明を説明する。
【００１２】
スラット付き壁３と併用されるグラフィックスパネル支持体１は、略溝形断面形状を有するプラスチック材料の伸長細長部材である。細長部材１は実質的に平坦な湾曲部、即ちベース５と、それから延設される腕部７、９とを備える。腕部７は、ベース５と直角に、長さの約半分を超えるところまで延びる、次いで内側に（上腕部９に向かって）曲がり、さらに外側に曲がって指部１１を形成し、その端部１３はベース５に対して実質的に平行である。
【００１３】
他方の腕部９は、ベース５から曲線状に延設され、ベース５と実質的に平行になることにより肩部１５を形成する。次いで腕部９は、腕部７とほぼ同様に、次第に内側及び外側へ曲がって指部１７で終端し、ベース５と実質的に平行な端部１３を有し、それは腕部７の指部１１の端部１３と反対方向に向いている。
【００１４】
腕部７、９の形状により、腕部７と腕部９との間で比較的狭めらてた溝部への入口部２１と、この入口部２１を超えたところに比較的に広がった本体部２３とが形成される。
【００１５】
細長部材１は、図２に示すように、スラット付き壁３のスロット２５内に設置することができ、肩部１５がスロット２５の一方の翼部２６に嵌合しする。湾曲部１４の表面は、スロット２５の表面に合致するようになっているが、図示のように、必ずしもスロット２５の全体にわたって占めなければならないわけではない。スロット２５の一部だけを占め、かつグラフィックスパネル支持体がスロット内に確実に嵌装されれば十分である。
【００１６】
位置関係として、腕部７、９の先端にある指部１１、１７は、スラット付き壁３の前面２７の外側にあり、いずれも、指部１１、１７の背後と壁の前面２７との間に、小空間２９を形成している。グラフィックス展示パネル、例えば、厚さ１ミリ程度のカードの場合は、その上縁を指部１７の背後に形成された間隙２９内に配置し、そして下縁を下位のスロット内に設置された細長部材１の、上向きに曲がった指部の背後に配置することができる。このように、適宜な寸法のカードは、２個の細長部材１の間に、確実に載置することができる。
【００１７】
必要に応じて、下縁を指部１１と壁３の前面２７との間にして、もう一枚のグラフィックス展示パネルを設置することも可能である。その場合、上縁は、図２に示すものより上方の適宜な距離を置いて設置する別の細長部材の下向きの指部との間に設置することとなる。
【００１８】
細長部材１は、それに適した任意の材料で作成してよい。それに適した材料の例としては、プラスチック材料のみならず、アルミニウムなどの適当な金属材料も含まれる。
【図１】
2010528199.tif 000003
【図２】
2010528199.tif 000004
【国際調査報告】
2010528199.tif 000005
2010528199.tif 000006
2010528199.tif 000007
2010528199.tif 000008